(57)【要約】【課題】製造の際に高い寸法精度が要求されず、その製造コストの上昇を未然に防止できるシャープペンシル筆記体、これを備えた筆記具、及び、その製造方法の提供。【解決手段】シャープペンシル筆記体１の軸方向の長さ寸法が規定の寸法よりも長くなるおそれがある場合、嵌合突起部４Ａの芯ケース筒２内への没入量Ｄを大きくし、この状態で、ポンチ位置Ｐでポンチ加工を行って、尾栓４を芯ケース筒２に固定し、これにより、シャープペンシル筆記体１の長さ寸法誤差を解消する。反対に、シャープペンシル筆記体１の軸方向の長さ寸法が規定の寸法よりも短くなるおそれがある場合、嵌合突起部４Ａの芯ケース筒２内への没入量Ｄを小さくし、この状態で、ポンチ位置Ｐでポンチ加工を行って、尾栓４を芯ケース筒２に固定し、これにより、シャープペンシル筆記体１の長さ寸法誤差を解消する。【選択図】    図４
2010120210.tif 000002
【特許請求の範囲】
【請求項１】
筆記具の軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体であって、
筒状に形成されて内部に複数本の筆記芯を収納可能とされた芯ケース筒と、
この芯ケース筒の先端側に接続されるとともに、ノック操作力を受ける毎に、内部に装填された筆記芯を先端側へほぼ所定寸法だけ繰り出す芯繰出ユニットと、
前記芯ケース筒の後端側に接続されるとともに、前記軸筒の内部に設けられた前記被嵌合部と嵌合する尾栓とを備え、
前記芯ケース筒は、その後端面が開口されたものとされ、
前記尾栓には、前記芯ケース筒に対向させる端面から前記芯ケース筒に向かって突出するとともに、前記芯ケース筒の後端面に形成された開口の内部に嵌め込まれる嵌合突起部が設けられ、
前記嵌合突起部は、前記芯ケース筒の開口の内部に嵌め込まれる際に、前記芯ケース筒の内部に没入する没入量が所定の範囲で変更可能な長さ寸法を備え、且つ、当該嵌合突起部を前記芯ケース筒の内部に嵌め込んだ状態で前記芯ケース筒をかしめるかしめ加工を行うことで、前記芯ケース筒に固定されるものであり、
前記嵌合突起部の周面には、かしめ加工で前記芯ケース筒に当該嵌合突起部を固定する際に、前記芯ケース筒の長手方向に沿った所定の範囲にカシメ領域が設けられ、
このカシメ領域は、当該領域内における任意の位置でかしめ加工が行えるように形成されたものであることを特徴とするシャープペンシル筆記体。
【請求項２】
軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体を備えた筆記具であって、
前記シャープペンシル筆記体には、筒状に形成されて内部に複数本の筆記芯を収納可能とされた芯ケース筒と、
この芯ケース筒の先端側に接続されるとともに、ノック操作力を受ける毎に、内部に装填された筆記芯を先端側へほぼ所定寸法だけ繰り出す芯繰出ユニットと、
前記芯ケース筒の後端側に接続されるとともに、前記軸筒の内部に設けられた前記被嵌合部と嵌合する尾栓とが設けられ、
前記芯ケース筒は、その後端面が開口されたものとされ、
前記尾栓には、前記芯ケース筒に対向させる端面から前記芯ケース筒に向かって突出するとともに、前記芯ケース筒の後端面に形成された開口の内部に嵌め込まれる嵌合突起部が設けられ、
前記嵌合突起部は、前記芯ケース筒の開口の内部に嵌め込まれる際に、前記芯ケース筒の内部に没入する没入量が所定の範囲で変更可能な長さ寸法を備え、且つ、当該嵌合突起部を前記芯ケース筒の内部に嵌め込んだ状態で前記芯ケース筒をかしめるかしめ加工を行うことで、前記芯ケース筒に固定されるものであり、
前記嵌合突起部の周面には、かしめ加工で前記芯ケース筒に当該嵌合突起部を固定する際に、前記芯ケース筒の長手方向に沿った所定の範囲にカシメ領域が設けられ、
このカシメ領域は、当該領域内における任意の位置でかしめ加工が行えるように形成されたものであることを特徴とする筆記具。
【請求項３】
筆記具の軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体の製造方法であって、
筒状に形成されて内部に複数本の筆記芯を収納可能とされた芯ケース筒と、
この芯ケース筒の先端側に接続されるとともに、ノック操作力を受ける毎に、内部に装填された筆記芯を先端側へほぼ所定寸法だけ繰り出す芯繰出ユニットと、
前記芯ケース筒の後端側に接続されるとともに、前記軸筒の内部に設けられた前記被嵌合部と嵌合する尾栓とを備え、
前記芯ケース筒は、その後端面が開口されたものとされ、
前記尾栓には、前記芯ケース筒に対向させる端面から前記芯ケース筒に向かって突出するとともに、前記芯ケース筒の後端面に形成された開口の内部に嵌め込まれる嵌合突起部が設けられ、
前記嵌合突起部は、前記芯ケース筒の開口の内部に嵌め込まれる際に、前記芯ケース筒の内部に没入する没入量が所定の範囲で変更可能な長さ寸法を備え、且つ、当該嵌合突起部を前記芯ケース筒の内部に嵌め込んだ状態で前記芯ケース筒をかしめるかしめ加工を行うことで、前記芯ケース筒に固定されるものであり、
前記嵌合突起部の周面には、かしめ加工で前記芯ケース筒に当該嵌合突起部を固定する際に、前記芯ケース筒の長手方向に沿った所定の範囲にカシメ領域が設けられ、
このカシメ領域は、当該領域内における任意の位置でかしめ加工が行えるように形成されたものであり、
前記芯繰出ユニットが先端側に接続された前記芯ケース筒の後端面の開口に、前記尾栓の前記嵌合突起部を嵌め込み、この状態で、前記芯ケース筒の開口内部に没入する前記嵌合突起部の没入量を調節して、前記芯繰出ユニットの先端から前記尾栓の後端までの長さ寸法を予め定められた規定寸法にした後、
かしめ加工で前記芯ケース筒に前記嵌合突起部を固定することを特徴とするシャープペンシル筆記体の製造方法。
【発明の詳細な説明】
【技術分野】
【０００１】
本発明は、筆記具の軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体、これを備えた筆記具、及び、このシャープペンシル筆記体の製造方法に関する。
【背景技術】
【０００２】
近年、筆記具を構成する軸筒及び筆記体として、それぞれ複数種類のものを用意し、そのなかからユーザーが好みの軸筒及び筆記体をそれぞれ選択し、選択したものを組み合わせて一つの筆記具を形成するようにした組合せ筆記具が利用されている。
なお、組合せ筆記具の形式は、軸筒の後端部分に設けられたノック操作部をノック操作すると、筒軸の先端に形成された先端口から、筆記体の先端が突出して筆記が可能となるノック式が一般的である。
このような組合せ筆記具では、ユーザーが軸筒及び筆記体を購入した後、ユーザー自身が購入した軸筒及び筆記体を組み合わせて、筆記具を組み立てるので、素人であるユーザーでも容易に組立が行えるようにする必要がある。
【０００３】
ここで、工場で組立可能な程度の比較的小さな寸法誤差が軸筒及び筆記体にあっても、ユーザーが軸筒及び筆記体から筆記具に組み立てることができない、あるいは、ユーザーが組み立てた筆記具が正常に操作できない等の不具合が生じるおそれがあり、このような不具合が生じてしまうと、軸筒及び筆記体は不良品とみなされて、製造者の信用が損なわれるので、完成品として販売される筆記具よりも高い寸法精度を軸筒及び筆記体に確保する必要がある。
特に、複数の筆記体を収納する軸筒が選ばれ、この筒軸に収納される筆記体として、先端から筆記芯が繰り出されるシャープペンシル筆記体が含まれ、これらの軸筒及び複数の筆記体から、複数種類の筆記体による筆記が可能な複式筆記具を組み立てた場合には、シャープペンシル筆記体の長さ寸法の微妙な誤差で、その操作に不具合が生じる。
【０００４】
すなわち、前述のような場合において、シャープペンシル筆記体の全長が予め定められた規定寸法よりも僅かに長いと、シャープペンシル筆記体のノック操作部で、シャープペンシル筆記体の内部に収納されている筆記芯の繰り出しは行えるが、シャープペンシル筆記体の先端を、一旦、先端口から突出させてしまうと、突出させたシャープペンシル筆記体の先端をノック操作部で先端口の内部に戻すことができない、という不具合が生じる。
一方、前述の場合において、シャープペンシル筆記体の全長が予め定められた規定寸法よりも僅かに短いと、次のような不具合が生じる。
すなわち、規定寸法よりも僅かに短いシャープペンシル筆記体を、筆記体の収納可能な本数が１本のみの軸筒と組み合わせ、単式筆記具として使用すると、シャープペンシル筆記体のノック操作部で、シャープペンシル筆記体先端の出し入れは行えるが、シャープペンシル筆記体の内部に収納されている筆記芯をノック操作で繰り出そうとすると、シャープペンシル筆記体先端が軸筒内に戻ってしまい、筆記芯を繰り出しが行えない、という不具合が生じる。
【０００５】
これらの不具合は、シャープペンシル筆記体の長さ寸法の微妙な差で生じるので、ノック操作が確実に行えるようにするために、シャープペンシル筆記体の製造の際に、その長さ寸法の精度を高く設定する必要がある。
ところで、軸筒の内部に収納される筆記体として、周面から径方向に突出する鍔部が先端近傍の部分に設けられているとともに、径方向に弾性変形可能となった弾性変形部が後端部分に設けられているものを採用し、このような筆記体で軸方向における長さ寸法誤差の吸収を図った筆記具が知られている（例えば、特許文献１参照）。
この際、軸筒としては、互いに螺合する先軸部と後軸部とを備え、先軸部の先端近傍の内面に先端側が縮径した段付部が形成されるとともに、後軸部の後端近傍の内面が後端に向かってすり鉢状に縮径していくテーパー部とが形成されたものが採用されている。
【０００６】
このような筆記体及び軸筒を備えた筆記具によれば、軸筒の先軸部の内部に筆記体を収納した後、先軸部と後軸部とを螺合させていくと、筆記体の鍔部が先軸部の段付部に係止された状態で、先軸部の先端部と後軸部の後端部とが互いに近づいていき、後軸部のテーパー部が筆記体の弾性変形部に押圧力を加え、この押圧力で弾性変形部が変形し、この弾性変形部が変形によって、筆記体の軸方向における長さ寸法が軸筒の軸方向に沿った内法に応じて調節されるので、筆記体及び軸筒に軸方向における寸法誤差が生じていても、当該寸法誤差を吸収することができる。
そして、筆記体及び軸筒に軸方向における寸法誤差がある程度許容されるので、筆記体及び軸筒を製造する際に、高い寸法精度が要求されなくなるので、その製造コストを低減することができる。
【特許文献１】特開２００２−２８３７８４号
【発明の開示】
【発明が解決しようとする課題】
【０００７】
前述のような筆記具では、外力を受けて弾性変形する弾性変形部を設け、この弾性変形部の変形で寸法誤差を吸収するようにしたので、筆記体がノック操作力を受けて筆記芯を繰り出すように形成されたシャープペンシル筆記体である場合には、筆記芯を繰り出すためのノック操作力を弾性変形部が吸収してしまううえ、弾性変形部の弾性変形で長さ寸法が微妙に変化するので、このような弾性変形部で寸法誤差を解消しようとすると、筆記芯を繰り出すことができなくなるおそれがある。
このため、弾性変形する弾性変形部で寸法誤差を吸収する構造を、そのままシャープペンシル筆記体に適用しても、寸法誤差を解消することができないので、シャープペンシル筆記体を製造する際に、高い寸法精度が要求され、その製造コストが上昇するおそれがある、という問題がある。
【０００８】
そこで本発明は、上記した背景技術の有する問題点に鑑みてなされたものであり、その目的とするところは、製造の際に高い寸法精度が要求されず、その製造コストの上昇を未然に防止できるシャープペンシル筆記体、及び、その製造方法を提供することである。
【課題を解決するための手段】
【０００９】
各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（第１発明）
（特徴点）
本発明の第１発明は、次の点を特徴とする。
すなわち、本発明の第１発明は、筆記具の軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体であって、
筒状に形成されて内部に複数本の筆記芯を収納可能とされた芯ケース筒と、
この芯ケース筒の先端側に接続されるとともに、ノック操作力を受ける毎に、内部に装填された筆記芯を先端側へほぼ所定寸法だけ繰り出す芯繰出ユニットと、
前記芯ケース筒の後端側に接続されるとともに、前記軸筒の内部に設けられた前記被嵌合部と嵌合する尾栓とを備え、
前記芯ケース筒は、その後端面が開口されたものとされ、
前記尾栓には、前記芯ケース筒に対向させる端面から前記芯ケース筒に向かって突出するとともに、前記芯ケース筒の後端面に形成された開口の内部に嵌め込まれる嵌合突起部が設けられ、
前記嵌合突起部は、前記芯ケース筒の開口の内部に嵌め込まれる際に、前記芯ケース筒の内部に没入する没入量が所定の範囲で変更可能な長さ寸法を備え、且つ、当該嵌合突起部を前記芯ケース筒の内部に嵌め込んだ状態で前記芯ケース筒をかしめるかしめ加工を行うことで、前記芯ケース筒に固定されるものであり、
前記嵌合突起部の周面には、かしめ加工で前記芯ケース筒に当該嵌合突起部を固定する際に、前記芯ケース筒の長手方向に沿った所定の範囲にカシメ領域が設けられ、
このカシメ領域は、当該領域内における任意の位置でかしめ加工が行えるように形成されたものであることを特徴とする。
【００１０】
（第２発明）
（特徴点）
本発明の第２発明は、前述した本発明の第１発明に係るシャープペンシル筆記体を備えた筆記具であり、次の点を特徴とする。
すなわち、本発明の第２発明は、軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体を備えた筆記具であって、
前記シャープペンシル筆記体には、筒状に形成されて内部に複数本の筆記芯を収納可能とされた芯ケース筒と、
この芯ケース筒の先端側に接続されるとともに、ノック操作力を受ける毎に、内部に装填された筆記芯を先端側へほぼ所定寸法だけ繰り出す芯繰出ユニットと、
前記芯ケース筒の後端側に接続されるとともに、前記軸筒の内部に設けられた前記被嵌合部と嵌合する尾栓とが設けられ、
前記芯ケース筒は、その後端面が開口されたものとされ、
前記尾栓には、前記芯ケース筒に対向させる端面から前記芯ケース筒に向かって突出するとともに、前記芯ケース筒の後端面に形成された開口の内部に嵌め込まれる嵌合突起部が設けられ、
前記嵌合突起部は、前記芯ケース筒の開口の内部に嵌め込まれる際に、前記芯ケース筒の内部に没入する没入量が所定の範囲で変更可能な長さ寸法を備え、且つ、当該嵌合突起部を前記芯ケース筒の内部に嵌め込んだ状態で前記芯ケース筒をかしめるかしめ加工を行うことで、前記芯ケース筒に固定されるものであり、
前記嵌合突起部の周面には、かしめ加工で前記芯ケース筒に当該嵌合突起部を固定する際に、前記芯ケース筒の長手方向に沿った所定の範囲にカシメ領域が設けられ、
このカシメ領域は、当該領域内における任意の位置でかしめ加工が行えるように形成されたものであることを特徴とする。
【００１１】
（第３発明）
（特徴点）
本発明の第３発明は、前述した本発明の第１発明に係るシャープペンシル筆記体の製造方法であり、次の点を特徴とする。
すなわち、本発明の第３発明は、筆記具の軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体の製造方法であって、
筒状に形成されて内部に複数本の筆記芯を収納可能とされた芯ケース筒と、
この芯ケース筒の先端側に接続されるとともに、ノック操作力を受ける毎に、内部に装填された筆記芯を先端側へほぼ所定寸法だけ繰り出す芯繰出ユニットと、
前記芯ケース筒の後端側に接続されるとともに、前記軸筒の内部に設けられた前記被嵌合部と嵌合する尾栓とを備え、
前記芯ケース筒は、その後端面が開口されたものとされ、
前記尾栓には、前記芯ケース筒に対向させる端面から前記芯ケース筒に向かって突出するとともに、前記芯ケース筒の後端面に形成された開口の内部に嵌め込まれる嵌合突起部が設けられ、
前記嵌合突起部は、前記芯ケース筒の開口の内部に嵌め込まれる際に、前記芯ケース筒の内部に没入する没入量が所定の範囲で変更可能な長さ寸法を備え、且つ、当該嵌合突起部を前記芯ケース筒の内部に嵌め込んだ状態で前記芯ケース筒をかしめるかしめ加工を行うことで、前記芯ケース筒に固定されるものであり、
前記嵌合突起部の周面には、かしめ加工で前記芯ケース筒に当該嵌合突起部を固定する際に、前記芯ケース筒の長手方向に沿った所定の範囲にカシメ領域が設けられ、
このカシメ領域は、当該領域内における任意の位置でかしめ加工が行えるように形成されたものであり、
前記芯繰出ユニットが先端側に接続された前記芯ケース筒の後端面の開口に、前記尾栓の前記嵌合突起部を嵌め込み、この状態で、前記芯ケース筒の開口内部に没入する前記嵌合突起部の没入量を調節して、前記芯繰出ユニットの先端から前記尾栓の後端までの長さ寸法を予め定められた規定寸法にした後、
かしめ加工で前記芯ケース筒に前記嵌合突起部を固定することを特徴とする。
【発明の効果】
【００１２】
（発明の効果）
以上のように構成されている本発明は、以下に記載されるような効果を奏する。
すなわち、本発明によれば、芯ケース筒の後端面に形成された開口の内部に嵌め込む嵌合突起部を尾栓に設け、嵌合突起部を芯ケース筒の後端開口に嵌合することで、尾栓を芯ケース筒に接続するようにし、さらに、芯ケース筒の内部に没入する没入量が所定の範囲で変更可能な長さ寸法を嵌合突起部に確保し、且つ、嵌合突起部を芯ケース筒の内部に嵌め込んだ状態で芯ケース筒をかしめることで、芯ケース筒に嵌合突起部を固定するようにし、また、芯ケース筒に固定される嵌合突起部の周面に所定のカシメ領域を設け、カシメ領域内における任意の位置でかしめ加工が行えるようにしたので、嵌合突起部の芯ケース筒の内部への没入量を調節が可能となる。
【００１３】
このため、芯繰出ユニット、芯ケース筒、及び、尾栓の各々に、軸筒の軸方向における長さ寸法の誤差があり、これらを単に組み合わせただけでは、シャープペンシル筆記体の軸方向の長さ寸法について誤差が生じる場合でも、嵌合突起部の芯ケース筒の内部への没入量を調節した後に、かしめ加工を行うことにより、シャープペンシル筆記体の軸方向における長さ寸法の誤差を解消することができる。
例えば、芯繰出ユニット、芯ケース筒、及び、尾栓の各々に、筒軸の軸方向における長さ寸法の誤差があり、これらを単に組み合わせただけでは、シャープペンシル筆記体の軸方向の長さが規定の寸法よりも短くなる場合には、嵌合突起部の芯ケース筒内への没入量を小さくする、すなわち、嵌合突起部を芯ケース筒の内部に浅く没入させ、この状態で、カシメ領域における嵌合突起部の先端近傍の位置でかしめ加工を行えば、尾栓を芯ケース筒に固定できるとともに、シャープペンシル筆記体の軸方向における長さ寸法の誤差を解消することができる。
【００１４】
反対に、芯繰出ユニット、芯ケース筒、及び、尾栓の各々に、筒軸の軸方向における長さ寸法の誤差があり、これらを単に組み合わせただけでは、シャープペンシル筆記体の軸方向の長さが規定の寸法よりも長くなる場合には、嵌合突起部の芯ケース筒内への没入量を大きくする、すなわち、嵌合突起部を芯ケース筒の内部に深く没入させ、この状態で、カシメ領域における嵌合突起部の根本近傍の位置でかしめ加工を行えば、尾栓を芯ケース筒に固定できるとともに、シャープペンシル筆記体の軸方向における長さ寸法の誤差を解消することができる。
従って、芯繰出ユニットを構成する各部品及び芯繰出ユニットの製造の際に高い寸法精度が要求されず、その製造コストの上昇を未然に防止でき、以上により、前記目的が達成される。
【発明を実施するための最良の形態】
【００１５】
以下に、本発明を実施するための最良の形態である一実施形態について、図面に基づいて説明する。
図１〜図６は、本実施形態を示すものである。図１は、本実施形態に係るシャープペンシル筆記体を示す正面図及び平断面図、図２は、本実施形態に係るシャープペンシル筆記体を示す分解状態の正面図、図３は、本実施形態に係る尾栓を示す正面図及び縦断面図、図４は、本実施形態に係る尾栓の没入量調節を説明するための模式図、図５は、本実施形態に係る複式筆記具用の軸筒を示す正面図及び縦断面図、図６は、本実施形態に係るシングル式筆記具用の軸筒を示す正面図及び断面図である。
【００１６】
なお、筆記具における先端とは、軸筒の両端のうち、用紙等の書き込み対象に接する側の端部をいい、これとは反対側の端部を筆記具における後端という。
（シャープペンシル筆記体１）
本実施形態に係るシャープペンシル筆記体１は、図１及び図２に示すように、長さ寸法Ｌの細長い部品である。
このシャープペンシル筆記体１には、筒状に形成されて内部に複数本の筆記芯Ｓを収納可能とされた芯ケース筒２と、芯ケース筒２の先端側（図１中左側）に接続されている芯繰出ユニット３と、芯ケース筒２の後端側（図１中右側）に接続される尾栓４とが設けられている。
【００１７】
芯ケース筒２は、金属等の耐久性に優れた材質からなるとともに、先端から後端まで同じ太さのパイプ状に形成され、且つ、その後端面が開口された部品である。
ここで、芯ケース筒２は、シャープペンシル筆記体１の先端側に、芯繰出ユニット３と分離可能に接続されている。
すなわち、芯繰出ユニット３は、後端が開口されたものとなっている。芯ケース筒２は、先端側に配置された端部が芯繰出ユニット３の後端開口に嵌め込まれ、これにより、芯繰出ユニット３との分離可能な接続がなされている。
一方、芯ケース筒２の反対側の端部には、尾栓４が接続されている。
【００１８】
すなわち、芯ケース筒２は、シャープペンシル筆記体１の後端側に配置された端部が開口されている。尾栓４は、芯ケース筒２に対向させる端面から芯ケース筒２に向かって突出する嵌合突起部４Ａを有するものとなっている。
芯ケース筒２は、後端面に形成された開口の内部に、尾栓４の嵌合突起部４Ａが嵌め込まれ、これにより、端部開口が尾栓４と凹凸嵌合している。
そして、尾栓４は、芯ケース筒２の後端部分に、かしめ加工の一種であるポンチ加工によって接続されている。
換言すると、芯ケース筒２は、図１の如く、尾栓４と凹凸嵌合している状態で、後端近傍部分がその両側からポンチ加工され、このポンチ加工で形成された接合突起２Ａを尾栓４に設けられた嵌合突起部４Ａ先の表面にくい込ませることにより、尾栓４が後端部分に接続されている。
【００１９】
芯繰出ユニット３は、図１（Ｂ）の如く、筆記芯Ｓの把持を行うチャック３１が設けられ、このチャック３１で筆記芯Ｓを先端へ繰り出すチャック部３Ａと、チャック部３Ａのチャック３１を内部に収納している口金部３Ｂと、チャック部３Ａを後端へ向かって常に付勢しているコイルバネ３Ｃとを備えたものとなっている。
チャック部３Ａは、複数に分割された頭部３１Ａが形成されている前述のチャック３１と、筒状に形成されて、その内部にチャック３１の頭部３１Ａが挿入されると当該頭部３１Ａを締め付ける締め具３２と、チャック３１との接続を行うために、口金部３Ｂの内部にまで延びる接続部３３Ａが形成された筒状の中継筒３３とを備えたものである。
【００２０】
このうち、チャック３１は、その先端から後端までの全体を貫通する貫通路を備えた略筒状の部品であり、その貫通路に筆記芯Ｓを挿通させるようになっている。
このようなチャック３１には、前述した頭部３１Ａと、この頭部３１Ａよりも細く形成された首部３１Ｂとが一体に形成されている。
頭部３１Ａは、複数の分割された部分が径方向に移動して、その内部の貫通路の内径が拡縮可能に形成されたものであり、締め具３２に締め付けられて内径が縮むことで、筆記芯Ｓを把持するようになっている。
一方、中継筒３３の接続部３３Ａは、中継筒３３の他の部分である本体部３３Ｂよりも細い部位であり、内部に、首部３１Ｂが圧入され、これにより、チャック部３Aが中継筒３３に接続されている。
【００２１】
口金部３Ｂは、先端側（図１中左側）に配置された口金３４と、後端側（図１中右側）に配置された口金受筒３５とを連結したものであり、これらの内部にチャック３１の頭部３１Ａを収納するチャック室が形成されたものとなっている。
口金３４は、その先端に筆記芯Ｓを突出させる先端口が形成されているとともに、先端口の近傍に合成ゴム製の保持チャック３６が収納されている。また、口金３４の内側面には、先端側が縮径された段付部が形成されている。
口金受筒３５は、内部にチャック３１の首部３１Ｂを挿通させる筒状の部品である。この口金受筒３５の内側面には、後端側が縮径された段付部が形成されている。
【００２２】
そして、口金部３Ｂの口金受筒３５及び中継筒３３の本体部３３Ｂの間に、コイルバネ３Ｃが介装され、このようなコイルバネ３Ｃによって、口金部３Ｂに対して、中継筒３３、ひいては、チャック３１が後端側へ付勢されている。
この際、ノック操作力がシャープペンシル筆記体１の後端に設けられた尾栓４に加わると、コイルバネ３Ｃの弾性力に抗して、締め具３２に締め付けられたチャック３１は、先端側へ移動するようになっている。
そして、チャック３１の先端が口金３４の内側面に形成された段付部の位置まで到達すると、締め具３２は、口金３４の段付部に係止され、当該段付部で停止するようになっている。
【００２３】
一方、チャック３１及びこのチャック３１に把持された筆記芯Ｓは、段付部よりもさらに先端側へ移動するようになっている。これにより、シャープペンシル筆記体１は、筆記芯Ｓが口金３４の先端口から繰り出されるようになっている。そして、チャック３１及び筆記芯Ｓがノック動作のストロークの終端近傍まで移動すると、チャック３１は、把持していた筆記芯Ｓを開放するようになっている。
また、尾栓４に加えられていたノック操作力が解除されると、コイルバネ３Ｃの弾性力でチャック３１は、後端側へ移動、換言すると、元の位置まで復帰するようになっている。
【００２４】
ここで、筆記芯Ｓは、チャック３１の把持が解除されて、チャック３１から開放されているとともに、口金３４の合成ゴム製の保持チャック３６に保持されているので、チャック３１が後端側へ移動しても、チャック３１とともに後端側へ移動することはなく、ノック操作で繰り出された位置に留まるようになっている。
そして、チャック３１の後端が口金受筒３５の内側面に形成された段付部の位置まで戻ってくると、締め具３２は、口金受筒３５の段付部に係止され、当該段付部で停止するようになっている。
一方、チャック３１は、口金受筒３５の段付部に係止された締め具３２よりも僅かに後端側へ移動するので、これにより、締め具３２よって強く締め付けられ、筆記芯Ｓを再度把持し、後端側へ移動しないように固定するようになっている。
【００２５】
ここにおいて、芯繰出ユニット３は、芯ケース筒２の先端側に接続されるとともに、ノック操作力を受ける毎に、内部に装填された筆記芯Ｓを先端側へほぼ所定寸法だけ繰り出すものとなっている。
このような芯繰出ユニッ３トにより、シャープペンシル筆記体１は、ノック操作力を受ける毎に、芯繰出ユニッ３トの内部に装填された筆記芯Ｓを先端側へほぼ所定寸法だけ繰り出し、ノック操作力が解除されると、先端口から突出した筆記芯Ｓを固定し、筆記が可能な状態となるように形成されている。
尾栓４は、図３に示すように、図３中右方に配置された筒状の本体部４Ｂと、この本体部４Ｂの図３中左方に配置された端面４Ｃから突出する前述の嵌合突起部４Ａとを備えたものである。
【００２６】
この尾栓４は、シャープペンシル筆記体１を後述する軸筒５，６の内部に装着する際に、軸筒５，６の内部の所定部位と凹凸嵌合するものである。この尾栓４により、シャープペンシル筆記体１は、軸筒５，６内に取り外し可能に装着されるようになっている。
すなわち、軸筒５は、尾栓４側に設けられている筒状の本体部４Ｂの内部に嵌め込まれる凸部５１Ａ（図５参照）を備えたものであり、この凸部５１Ａで、尾栓４と凹凸嵌合している。
一方、軸筒６は、尾栓４を内部に嵌め込ませる凹部６１Ａ（図６参照）を備えたものであり、この凹部６１Ａで尾栓４と凹凸嵌合している。
【００２７】
なお、これらの軸筒５，６については、後で詳述する。
尾栓４に設けられている筒状の本体部４Ｂには、後端側の端面に後方を向いて開口された凹部４Ｄが設けられている。この凹部４Ｄは、軸筒５側に設けられている凹凸嵌合部である凸部５１Ａが内部に嵌め込まれる、尾栓４側の凹凸嵌合部となっている。
また、尾栓４の本体部４Ｂは、それ自身が軸筒６側に設けられている凹凸嵌合部である凹部６１Ａの内部に嵌め込まれる、尾栓４側の凹凸嵌合部となっている。
嵌合突起部４Ａは、前述したように、芯ケース筒２に対向させる端面から芯ケース筒２に向かって突出するとともに、芯ケース筒２の後端面に形成された開口の内部に嵌め込まれるものである。
【００２８】
このような嵌合突起部４Ａは、芯ケース筒２の開口の内部に嵌め込まれる際に、芯ケース筒２の内部に没入する没入量Ｄが所定の範囲で変更可能な長さ寸法Ｍを備えている。芯ケース筒２の内部への没入量Ｄについては、後で詳しく説明する。
嵌合突起部４Ａを芯ケース筒２の内部に嵌め込んだ状態で芯ケース筒２をポンチ加工することで、尾栓４が芯ケース筒２に固定されるようになっている。
嵌合突起部４Ａの周面４Ｅには、芯ケース筒２に接続するためのポンチ加工を行うことができる範囲として、芯ケース筒２の長手方向に沿った所定の範囲における周面４Ｅの全周にカシメ領域Ｒが設けられている。
【００２９】
このカシメ領域Ｒは、当該カシメ領域Ｒ内における任意の位置でかしめ加工が行える領域である。更に詳しく説明すると、カシメ領域Ｒは、当該カシメ領域Ｒ内における任意の位置に、ポンチ加工の工具であるポンチの先端を当接させるポンチ位置Ｐを設定することができるように形成されたものである。
このようなカシメ領域Ｒが嵌合突起部４Ａに設けられている尾栓４は、前述したように、嵌合突起部４Ａの芯ケース筒２の内部への没入量Ｄが変更可能、換言すると、調節可能となっている。
この没入量Ｄが調節可能であることにより、芯繰出ユニット３、芯ケース筒２、及び、尾栓４の軸方向の長さ寸法に誤差があり、これらを組み合わせた際に、シャープペンシル筆記体１の軸方向の長さ寸法Ｌに誤差が生じる場合でも、嵌合突起部４Ａの芯ケース筒２の内部への没入量Ｄを調節した後に、ポンチ加工を行うことで、シャープペンシル筆記体１は、軸方向における長さ寸法Ｌの誤差を解消することができるようになっている。
【００３０】
すなわち、シャープペンシル筆記体１は、軸方向の長さ寸法Ｌが規定の寸法よりも長い場合、図４（Ａ）に示すように、嵌合突起部４Ａの芯ケース筒２内への没入量Ｄを大きくする、換言すると、嵌合突起部４Ａを芯ケース筒２の内部に深く没入させた後、カシメ領域Ｒにおける嵌合突起部４Ａの根本近傍の位置をポンチ位置Ｐとし、この位置でポンチ加工が行われ、これにより、尾栓４が芯ケース筒２に固定されているとともに、その軸方向における長さ寸法Ｌの誤差が解消されるようになっている。
また、シャープペンシル筆記体１は、軸方向の長さ寸法Ｌがほぼ規定の寸法となっている場合、図４（Ｂ）に示すように、嵌合突起部４Ａの芯ケース筒２内への没入量Ｄを図４（Ａ）で示した量よりも小さくする、換言すると、図４（Ａ）で示した状態よりも、嵌合突起部４Ａを芯ケース筒２の内部に浅く没入させた後、カシメ領域Ｒにおける嵌合突起部４Ａのほぼ中央位置をポンチ位置Ｐとし、この位置でポンチ加工が行われ、これにより、尾栓４が芯ケース筒２に固定されているとともに、その軸方向における長さ寸法Ｌに僅かな誤差があっても、その誤差が解消できるようになっている。
【００３１】
さらに、シャープペンシル筆記体１は、軸方向の長さ寸法Ｌが規定の寸法よりも短い場合、図４（Ｃ）に示すように、嵌合突起部４Ａの芯ケース筒２内への没入量Ｄを小さくする、換言すると、嵌合突起部４Ａを芯ケース筒２の内部に浅く没入させた後、カシメ領域Ｒにおける嵌合突起部４Ａの先端近傍の位置をポンチ位置Ｐとし、この位置でポンチ加工が行われ、これにより、尾栓４が芯ケース筒２に固定されているとともに、その軸方向における長さ寸法Ｌの誤差が解消されるようになっている。
続いて、シャープペンシル筆記体１を収納する軸筒５，６について詳しく説明する。
まず最初に、複数種類の筆記体の収納が可能とされて、複式筆記具の部品として用いられる軸筒５について説明し、その後、筆記体の収納本数が一本とされて、単式筆記具の部品として用いられる軸筒６について説明する。
【００３２】
（軸筒５）
軸筒５は、図５に示すように、図５中左方に配置されるとともに、先細りとなった先軸部５Ａと、図５中右方に配置される後軸部５Ｂとを分離可能に連結したものである。
すなわち、先軸部５Ａは、図５（Ｂ）に示すように、その後軸部５Ｂ側に配置された端部近傍の外周面に雄ネジ部５Ｃが形成されたものとなっている。
一方、後軸部５Ｂは、その先軸部５Ａ側に配置された端部近傍の内周面に、先軸部５Ａ側の雄ネジ部５Ｃと螺合する雌ネジ部５Ｄが形成されたものとなっている。
これにより、先軸部５Ａ及び後軸部５Ｂは、雄ネジ部５Ｃと雌ネジ部５Ｄとの螺合により相互に連結されるとともに、これら雄ネジ部５Ｃ及び雌ネジ部５Ｄの螺合を解除することで、分離が可能となっている。
【００３３】
ここで、先軸部５Ａの先端部分には、筆記体の先端を突出させるための先端口５Ｅが設けられている。
一方、後軸部５Ｂの後端近傍には、軸筒５の軸方向に沿って細長く開口しているとともに、当該後軸部５Ｂの後端近傍の側面に周方向に沿って並べられた複数の窓部５Ｆが設けられている。
これらの窓部５Ｆの各々には、当該窓部５Ｆの全長よりも一回り長い棒状に形成された移動操作部５１がそれぞれ嵌め込まれている。
そして、後軸部５Ｂの内部には、移動操作部５１を移動可能に支持するとともに、当該移動操作部５１を後軸部５Ｂの長手方向に沿って摺動可能に案内する複数のガイドレール部５２Ａを備えたガイド部材５２が設けられている。
【００３４】
このガイド部材５２は、ガイドレール部５２Ａの長手方向の途中位置に形成されているとともに、移動操作部５１の後端を係止する段付部５２Ｂを備えたものとなっている。
移動操作部５１は、外部からの操作でシャープペンシル筆記体１の先端を先軸部５Ａの先端口５Ｅに向かって移動させるためのものである。
すなわち、移動操作部５１には、図１（Ｂ）に示すように、筆記体と凹凸嵌合する凹凸嵌合部として、前述の凸部５１Ａを備えたものとなっている。
この移動操作部５１の凸部５１Ａは、移動操作部５１の先端に設けられているとともに、移動操作部５１の他の部分よりも細いピン状に形成されものとなっている。
【００３５】
このような移動操作部５１は、凸部５１Ａをシャープペンシル筆記体１の尾栓４に形成された凹部４Ｄに嵌合させることで、シャープペンシル筆記体１と接続されるようになっている。
なお、移動操作部５１には、シャープペンシル筆記体１だけでなく、ボールペン筆記体等のシャープペンシル筆記体１とは種類の異なる筆記を行う筆記体（図示略）も接続可能となっている。
また、移動操作部５１の後端近傍には、軸筒５の径方向外側へ突出するフィン状の指掛け部５１Ｂが設けられている。
【００３６】
ここで、移動操作部５１の後端内側の角隅部分は、ガイド部材５２に設けられた前述の段付部５２Ｂに係止される被係止部５１Ｃとなっている。
さらに、移動操作部５１には、軸筒５の先端側へ移動させられた他の移動操作部５１の被係止部５１Ｃと、これを係止するガイド部材５２の段付部５２Ｂとの係止を解除するために、被係止部５１Ｃから先端側へ所定距離だけ離間した位置において、その表面から軸筒５の径方向内側へ突出する係止解除部５１Ｄが設けられている。
軸筒５の後軸部５Ｂの内部には、当該後軸部５Ｂの内部空間を先端側と後端側とに仕切るとともに、筆記体を挿通させるための複数の筆記体挿通孔５３Ａが形成された仕切り部材５３が設けられている。
【００３７】
シャープペンシル筆記体１等の筆記体は、後端部が後軸部５Ｂの後端に形成された窓部５Ｆの近傍に配置されて、移動操作部５１に接続されるとともに、仕切り部材５３の筆記体挿通孔５３Ａを通って、先端側が先軸部５Ａに到達するようになっている。
仕切り部材５３と移動操作部５１との間には、移動操作部５１を後端側へ付勢するために、コイル状に形成されたコイルバネ５４が介装されている。
ここで、移動操作部５１は、使用者によって指掛け部５１Ｂがコイルバネ５４の弾性力に抗して先端側へ移動され、被係止部５１Ｃがガイド部材５２の段付部５２Ｂよりも先端に近い位置に達すると、被係止部５１Ｃが軸筒５の中心軸側へずれて、ガイド部材５２の段付部５２Ｂに係止されるようになっている。
【００３８】
これにより、当該移動操作部５１に接続されている筆記体は、先端が軸筒５の先端口５Ｅから突出した状態が維持され、当該筆記体での筆記が行えるようになっている。
一方、筆記体の先端が軸筒５の先端口５Ｅから突出した状態で、この筆記体が接続されている移動操作部５１とは別の移動操作部５１を軸筒５の先端側に向かって摺動させると、この別の移動操作部５１の係止解除部５１Ｄが当該移動操作部５１の被係止部５１Ｃを軸筒５の径方向外側へ押し出し、ガイド部材５２の段付部５２Ｂとの係止状態を解除させるようになっている。これにより、当該筆記体は、コイルバネ５４の弾性力で軸筒５の後端側へ後退し、先端が軸筒５の内部に後退して元の位置に復帰するようになっている。
【００３９】
（軸筒６）
軸筒６は、前述の軸筒５と同様に、図６の如く、図６中左方に配置されるとともに、先細りとなった先軸部６Ａと、図６中右方に配置される後軸部６Ｂとを分離可能に連結したものである。
すなわち、先軸部６Ａは、図６（Ｂ）に示すように、その後軸部６Ｂ側に配置された端部近傍の外周面に雄ネジ部６Ｃが形成されたものとなっている。
一方、後軸部６Ｂは、その先軸部６Ａ側に配置された端部近傍の内周面に、先軸部６Ａ側の雄ネジ部６Ｃと螺合する雌ネジ部６Ｄが形成されたものとなっている。
【００４０】
これにより、先軸部６Ａ及び後軸部６Ｂは、雄ネジ部６Ｃと雌ネジ部６Ｄとの螺合により相互に連結されるとともに、これら雄ネジ部６Ｃ及び雌ネジ部６Ｄの螺合を解除することで、分離が可能となっている。
ここで、先軸部６Ａの先端部分には、筆記体の先端を突出させるための先端口６Ｅが設けられている。
一方、後軸部６Ｂの後端部分には、ノック操作力を受けるために設けられた後述するボタン部６２の後端部分を挿通させる開口６Ｆが設けられている。
また、後軸部６Ｂの内部には、ノック操作で軸筒６の先端口６Ｅから突出した筆記体の先端を突出した状態に留めておくための回転子６１と、軸筒６の先端口６Ｅから筆記体の先端を突出させるノック操作力を受けるボタン部６２と、回転子６１を後端側へ付勢するためのコイルバネ６４とが設けられている。
【００４１】
回転子６１は、略円筒状の部品であり、その外周面から径方向外側に突出するキー部６１Ｂが設けられている。
このような回転子６１は、その先端側の開口が凹部６１Ａとされ、この凹部６１Ａの内部にシャープペンシル筆記体１に設けられた尾栓４の本体部４Ｂを嵌合させることで、シャープペンシル筆記体１と接続されるようになっている。
なお、回転子６１には、シャープペンシル筆記体１だけでなく、ボールペン筆記体等のシャープペンシル筆記体１とは種類の異なる筆記を行う筆記体（図示略）も接続可能となっている。
【００４２】
一方、後軸部６Ｂの内周面には、当該内周面から径方向内側に突出するとともに、後軸部６Ｂの長手方向に延びる複数のガイドリブ６Ｇと、これらのガイドリブ６Ｇの間に形成されているとともに、後軸部６Ｂの長手方向に延びる複数のガイド溝６Ｈとが設けられている。
複数のガイドリブ６Ｇは、先端側の端部が後軸部６Ｂの長手方向における同じ位置に配置されている。そして、これらのガイドリブ６Ｇの先端側における端部のそれぞれには、同じ方向に傾斜したガイド傾斜面６Ｉが設けられている。
複数のガイド溝６Ｈの各々は、その内部に進入してきた回転子６１のキー部６１Ｂを後軸部６Ｂの長手方向に案内するものである。
【００４３】
これらのガイド溝６Ｈの先端側の端部は、後軸部６Ｂの長手方向における同じ位置に配置されている。そして、ガイド溝６Ｈは、後軸部６Ｂの長手方向の長さ寸法が異なるものが２種類設けられている。長さの長いガイド溝６Ｈと、長さの短いガイド溝６Ｈとは、周方向に互い違いに設けられている。
ボタン部６２は、先端側の部分を後軸部６Ｂの内部に没入させたままの状態で、後端側の部分が後軸部６Ｂの開口６Ｆから突没するように形成されている。
コイルバネ６４は、後軸部６Ｂの内部において圧縮された状態で収納されている。すなわち、後軸部６Ｂの先端近傍には、当該後軸部６Ｂの内径とほぼ同一の外径を有する筒状に形成されたバネ受筒６５が圧入されている。
【００４４】
コイルバネ６２は、バネ受筒６５の後端縁と、回転子６１の先端縁との間に圧縮状態で介装され、これにより発生する弾性力で回転子６１及びボタン部６２を後端側へ向かって付勢するものとなっている。
ここで、回転子６１のキー部６１Ｂが長さの長いガイド溝６Ｈの内部に収納された状態では、筆記体の先端は、軸筒６の先端口６Ｅの内部に引き込まれた状態になるように形成されている。
そして、筆記体の先端が先端口６Ｅの内部に収納されている状態で、ボタン部６２に押圧力を加えて、コイルバネ６４の弾性力に抗してボタン部６２を先端側へ押すと、ボタン部６２は、回転子６１を先端側へ移動させ、これにより、筆記体の先端を先端口６Ｅから突出させるようになっている。
【００４５】
ボタン部６２を先端側へ押し切ってしまうと、回転子６１のキー部６１Ｂは、長さの長いガイド溝６Ｈの端部よりも先端側へ移動し、長さの長いガイド溝６Ｈの外側へ抜け出るようになっている。
この後、ボタン部６２に加えられていた押圧力が解除されると、回転子６１及びボタン部６２は、コイルバネ６４の弾性力で抗して後端側へ移動を開始するようになっている。
回転子６１は、後端側へ移動をする際、そのキー部６１Ｂがガイドリブ６Ｇの先端側端部に設けられたガイド傾斜面６Ｉに案内されて回転するようになっている。この回転子６１の回転により、キー部６１Ｂは、ノック操作前に入っていた長さの長いガイド溝６Ｈではなく、その隣に配置された長さの短いガイド溝６Ｈの内部に進入するようになっている。
【００４６】
これにより、筆記体は、先端が軸筒６の先端口６Ｅから突出した状態が維持され、当該筆記体での筆記が行えるようになっている。
そして、軸筒６の内部に収納されている筆記体がシャープペンシル筆記体１以外の筆記体（例えば、ボールペン筆記体）である場合、当該筆記体は、筆記が終わった後に、再度、ボタン部６２をノックする、換言すると、ノック操作を行うことによって、その先端が軸筒６の先端口６Ｅの内部に引き込まれるようになっている。
すなわち、当該筆記体の先端が軸筒６の先端口６Ｅから突出している状態で、ノック操作が行われると、キー部６１Ｂは、回転子６１の回転によって、ノック操作前に入っていた長さの短いガイド溝６Ｈから出て、その隣に配置された長さの長いガイド溝６Ｈの内部に進入するようになっている。これにより、シャープペンシル筆記体１以外の筆記体（例えば、ボールペン筆記体）は、コイルバネ６４の弾性力で軸筒６の後端側へ後退して、先端が先端口６Ｅの内部に引き込まれるようになっている。
【００４７】
前述のような本実施形態によれば、次のような効果が得られる。
すなわち、芯ケース筒２の後端面に形成された開口の内部に嵌め込む嵌合突起部４Ａを尾栓４に設け、嵌合突起部４Ａを芯ケース筒２の後端開口に嵌合することで、尾栓４を芯ケース筒２に接続するようにし、さらに、芯ケース筒２の内部に没入する没入量Ｄが所定の範囲で変更可能な長さ寸法を嵌合突起部４Ａに確保し、且つ、嵌合突起部４Ａを芯ケース筒２の内部に嵌め込んだ状態で芯ケース筒２に対してポンチ加工を行うことで、芯ケース筒２に嵌合突起部４Ａを固定するようにし、また、芯ケース筒２に固定される嵌合突起部４Ａの周面に所定のカシメ領域Ｒを設け、カシメ領域Ｒ内における任意の位置でポンチ加工が行えるようにしたので、嵌合突起部４Ａの芯ケース筒２の内部への没入量Ｄを調節できるようになる。
【００４８】
このため、芯繰出ユニット３、芯ケース筒２、及び、尾栓４の各々に、軸筒５，６の軸方向における長さ寸法の誤差があり、これらを単に組み合わせただけでは、シャープペンシル筆記体１の軸方向の長さ寸法について誤差が生じる場合でも、嵌合突起部４Ａの芯ケース筒２の内部への没入量Ｄを調節した後に、ポンチ加工を行うことにより、シャープペンシル筆記体１の軸方向における長さ寸法の誤差を解消することができる。
例えば、芯繰出ユニット３、芯ケース筒２、及び、尾栓４の各々に、筒軸５，６の軸方向における長さ寸法の誤差があり、これらを単に組み合わせただけでは、シャープペンシル筆記体１の軸方向の長さ寸法Ｌが規定の寸法よりも短くなる場合には、嵌合突起部４Ａの芯ケース筒２内への没入量Ｄを小さくする、すなわち、嵌合突起部４Ａを芯ケース筒２の内部に浅く没入させ、この状態で、カシメ領域Ｒにおける嵌合突起部４Ａの先端近傍のポンチ位置Ｐでポンチ加工を行えば、尾栓４を芯ケース筒２に固定できるとともに、シャープペンシル筆記体１の軸方向における長さ寸法Ｌの誤差を解消することができる。
【００４９】
反対に、芯繰出ユニット３、芯ケース筒２、及び、尾栓４の各々に、筒軸５，６の軸方向における長さ寸法の誤差があり、これらを単に組み合わせただけでは、シャープペンシル筆記体１の軸方向の長さ寸法Ｌが規定の寸法よりも長くなる場合には、嵌合突起部４Ａの芯ケース筒２内への没入量Ｄを大きくする、すなわち、嵌合突起部４Ａを芯ケース筒２の内部に深く没入させ、この状態で、カシメ領域Ｒにおける嵌合突起部４Ａの根本近傍のポンチ位置Ｐでポンチ加工を行えば、尾栓４を芯ケース筒２に固定できるとともに、シャープペンシル筆記体１の軸方向における長さ寸法Ｌの誤差を解消することができる。
従って、製造の際に高い寸法精度が要求されず、その製造コストの上昇を未然に防止することができる。
【００５０】
なお、本発明は、前記実施形態に限定されるものではなく、本発明の目的を達成できる範囲における変形及び改良などをも含むものである。
例えば、かしめ加工としては、芯ケース筒２の側壁をピンポイントでかしめるポンチ加工に限らず、芯ケース筒２の側壁を全周に渡ってプレスし、これにより、側壁の内面から内側へ突出するリング状の突条を形成するカシメ加工でもよい。
【産業上の利用可能性】
【００５１】
本発明は、筆記具の軸筒の内部に設けられた被嵌合部に嵌合させることで、当該軸筒内に取り外し可能に装着され、前記軸筒に設けられたノック操作部に加えられたノック操作力を受けると、内部に装填された筆記芯を先端から繰り出すように形成されたシャープペンシル筆記体、これを備えた筆記具、及び、このシャープペンシル筆記体の製造方法に利用可能である。
【図面の簡単な説明】
【００５２】
【図１】本発明の一実施形態のシャープペンシル筆記体を示す正面図及び平断面図である。
【図２】前記実施形態に係るシャープペンシル筆記体を示す分解状態の正面図である。
【図３】前記実施形態に係る尾栓を示す正面図及び縦断面図である。
【図４】前記実施形態に係る尾栓の没入量調節を説明するための模式図である。
【図５】前記実施形態に係る複式筆記具用の軸筒を示す正面図及び縦断面図である。
【図６】前記実施形態に係るシングル式筆記具用の軸筒を示す正面図及び断面図である。
【符号の説明】
【００５３】
１    シャープペンシル筆記体      ２    芯ケース筒
２Ａ  接合突起                    ３    芯繰出ユニット
３Ａ  チャック部                  ３Ｂ  口金部
３Ｃ  コイルバネ                  ４    尾栓
４Ａ  嵌合突起部                  ４Ｂ  本体部
４Ｃ  端面                        ４Ｄ  凹部
４Ｅ  周面                        ４    尾栓
５    軸筒                        ５Ａ  先軸部
５Ｂ  後軸部                      ５Ｃ  雄ネジ部
５Ｄ  雌ネジ部                    ５Ｅ  先端口
５Ｆ  窓部                        ６    軸筒
６Ａ  先軸部                      ６Ｂ  後軸部
６Ｃ  雄ネジ部                    ６Ｄ  雌ネジ部
６Ｅ  先端口                      ６Ｆ  開口
６Ｇ  ガイドリブ                  ６Ｈ  ガイド溝
６Ｉ  ガイド傾斜面              ３１    チャック
３１Ａ  頭部                      ３１Ｂ  首部    
３２    締め具                    ３３    中継筒
３３Ａ  接続部                    ３３Ｂ  本体部
３４    口金                      ３５    口金受筒
３６    保持チャック              ５１    移動操作部
５１Ａ  凸部                      ５１Ｂ  指掛け部
５１Ｃ  被係止部                  ５１Ｄ  係止解除部
５２    ガイド部材                ５２Ａ  ガイドレール部
５２Ｂ  段付部                    ５３    仕切り部材
５３Ａ  筆記体挿通孔              ５４    コイルバネ
６１    回転子                    ６１Ａ  凹部
６１Ｂ  キー部                    ６２    ボタン部
６４    コイルバネ                ６５    バネ受筒
【図１】
2010120210.tif 000003
【図２】
2010120210.tif 000004
【図３】
2010120210.tif 000005
【図４】
2010120210.tif 000006
【図５】
2010120210.tif 000007
【図６】
2010120210.tif 000008